(57)【要約】【課題】  電子写真感光体等の円筒部材の外周面の振れ量を正確にしかも短時間で測定できる電子写真感光体用円筒基体、電子写真感光体および振れ量測定装置及び振れ量測定方法を提供する。【解決手段】  電子写真感光体用円筒基体５をベアリング１ａ，１ｂ，１ｃ，１ｄで回転自在に支持し、ベアリング１ａ，１ｂ，１ｃ，１ｄで支持した状態で電子写真感光体用円筒基体５の上面にダイヤルゲージ６を当接させて電子写真感光体用円筒基体５を回転させながら外周面の振れ量を測定し、ベアリング１ａ，１ｂ，１ｃ，１ｄの回転角度とベアリング１ａ，１ｂ，１ｃ，１ｄ自体の振れ量の関係を求め、ダイヤルゲージ６の測定結果に対してベアリング自体の振れ量を補正して、電子写真感光体用円筒基体５の外周面の振れ量を求める。【選択図】  図２
2006251233.tif 000002
【特許請求の範囲】
【請求項１】
円筒状又は円柱状の被測定物の下側両端部の各端部のそれぞれを一対の回転するベアリングに接触させて回転自在に支持し、前記被測定物を前記ベアリングで支持した状態で前記被測定物の上面にダイヤルゲージを当接させて前記被測定物を回転させながら外周面の振れ量を測定し、
前記ベアリングの回転角度と前記ベアリング自体の振れ量の関係を求め、前記ダイヤルゲージの測定結果に対して前記ベアリング自体の振れ量を補正して、前記被測定物の外周面の振れ量を求めることを特徴とする電子写真感光体用円筒基体。
【請求項２】
円筒状又は円柱状の被測定物の下側両端部の各端部のそれぞれを一対の連動して回転するベアリングに接触させて回転自在に支持し、前記被測定物を前記ベアリングで支持した状態で前記被測定物の上面にダイヤルゲージを当接させて前記被測定物を回転させながら外周面の振れ量を測定し、
前記ベアリングの回転角度と前記ベアリング自体の振れ量の関係を求め、前記ダイヤルゲージの測定結果に対して前記ベアリング自体の振れ量を補正して、前記被測定物の外周面の振れ量を求めることを特徴とする電子写真感光体用円筒基体。
【請求項３】
円筒状又は円柱状の被測定物の下側両端部の各端部にそれぞれ接触して前記被測定物を回転自在に支持する一対ずつのベアリングと、
前記被測定物を前記ベアリングで支持した状態で前記被測定物の上面に当接させて前記被測定物を回転させながら外周面の振れ量を測定するダイヤルゲージとを備え、
前記ベアリングの回転角度と前記ベアリング自体の振れ量の関係に基づき、前記ダイヤルゲージの測定結果に対して前記ベアリング自体の振れ量を補正できるようにしたことを特徴とする電子写真感光体用円筒基体。
【請求項４】
円筒状又は円柱状の被測定物の下側両端部の各端部にそれぞれ接触して前記被測定物を回転自在に支持する一対ずつの連動回転するベアリングと、
前記被測定物を前記ベアリングで支持した状態で前記被測定物の上面に当接させて前記被測定物を回転させながら外周面の振れ量を測定するダイヤルゲージとを備え、
前記ベアリングの回転角度と前記ベアリング自体の振れ量の関係に基づき、前記ダイヤルゲージの測定結果に対して前記ベアリング自体の振れ量を補正できるようにしたことを特徴とする電子写真感光体用円筒基体。
【請求項５】
前記ベアリングの外径は前記被測定物の外径の１／３以下であることを特徴とする請求項３又は４に記載の電子写真感光体用円筒基体。
【請求項６】
前記ダイヤルゲージは接触式であることを特徴とする請求項３又は４に記載の電子写真感光体用円筒基体。
【請求項７】
前記ダイヤルゲージとして光学式の距離センサを用いたことを特徴とする請求項３又は４に記載の電子写真感光体用円筒基体。
【請求項８】
振れ測定時の回転数が１２０ｒｐｍ以下であることを特徴とする請求項３又は４に記載の電子写真感光体用円筒基体。
【請求項９】
測定分解能が１μｍであることを特徴とする請求項３又は４に記載の電子写真感光体用円筒基体。
【請求項１０】
円筒状又は円柱状の被測定物の下側両端部の各端部のそれぞれを一対の回転するベアリングに接触させて回転自在に支持し、前記被測定物を前記ベアリングで支持した状態で前記被測定物の上面にダイヤルゲージを当接させて前記被測定物を回転させながら外周面の振れ量を測定し、
前記ベアリングの回転角度と前記ベアリング自体の振れ量の関係を求め、前記ダイヤルゲージの測定結果に対して前記ベアリング自体の振れ量を補正して、前記被測定物の外周面の振れ量を求めることを特徴とする電子写真感光体。
【請求項１１】
円筒状又は円柱状の被測定物の下側両端部の各端部のそれぞれを一対の連動して回転するベアリングに接触させて回転自在に支持し、前記被測定物を前記ベアリングで支持した状態で前記被測定物の上面にダイヤルゲージを当接させて前記被測定物を回転させながら外周面の振れ量を測定し、
前記ベアリングの回転角度と前記ベアリング自体の振れ量の関係を求め、前記ダイヤルゲージの測定結果に対して前記ベアリング自体の振れ量を補正して、前記被測定物の外周面の振れ量を求めることを特徴とする電子写真感光体。
【請求項１２】
円筒状又は円柱状の被測定物の下側両端部の各端部にそれぞれ接触して前記被測定物を回転自在に支持する一対ずつのベアリングと、
前記被測定物を前記ベアリングで支持した状態で前記被測定物の上面に当接させて前記被測定物を回転させながら外周面の振れ量を測定するダイヤルゲージとを備え、
前記ベアリングの回転角度と前記ベアリング自体の振れ量の関係に基づき、前記ダイヤルゲージの測定結果に対して前記ベアリング自体の振れ量を補正できるようにしたことを特徴とする電子写真感光体。
【請求項１３】
円筒状又は円柱状の被測定物の下側両端部の各端部にそれぞれ接触して前記被測定物を回転自在に支持する一対ずつの連動回転するベアリングと、
前記被測定物を前記ベアリングで支持した状態で前記被測定物の上面に当接させて前記被測定物を回転させながら外周面の振れ量を測定するダイヤルゲージとを備え、
前記ベアリングの回転角度と前記ベアリング自体の振れ量の関係に基づき、前記ダイヤルゲージの測定結果に対して前記ベアリング自体の振れ量を補正できるようにしたことを特徴とする電子写真感光体。
【請求項１４】
前記ベアリングの外径は前記被測定物の外径の１／３以下であることを特徴とする請求項１２又は１３に記載の電子写真感光体。
【請求項１５】
前記ダイヤルゲージは接触式であることを特徴とする請求項１２又は１３に記載の電子写真感光体。
【請求項１６】
前記ダイヤルゲージとして光学式の距離センサを用いたことを特徴とする請求項１２又は１３に記載の電子写真感光体。
【請求項１７】
振れ測定時の回転数が１２０ｒｐｍ以下であることを特徴とする請求項１２又は１３に記載の電子写真感光体。
【請求項１８】
測定分解能が１μｍであることを特徴とする請求項１２又は１３に記載の電子写真感光体。
【請求項１９】
円筒状又は円柱状の被測定物の下側両端部の各端部のそれぞれを一対の回転するベアリングに接触させて回転自在に支持し、前記被測定物を前記ベアリングで支持した状態で前記被測定物の上面にダイヤルゲージを当接させて前記被測定物を回転させながら外周面の振れ量を測定し、
前記ベアリングの回転角度と前記ベアリング自体の振れ量の関係を求め、前記ダイヤルゲージの測定結果に対して前記ベアリング自体の振れ量を補正して、前記被測定物の外周面の振れ量を求めることを特徴とする振れ量測定方法。
【請求項２０】
円筒状又は円柱状の被測定物の下側両端部の各端部のそれぞれを一対の連動して回転するベアリングに接触させて回転自在に支持し、前記被測定物を前記ベアリングで支持した状態で前記被測定物の上面にダイヤルゲージを当接させて前記被測定物を回転させながら外周面の振れ量を測定し、
前記ベアリングの回転角度と前記ベアリング自体の振れ量の関係を求め、前記ダイヤルゲージの測定結果に対して前記ベアリング自体の振れ量を補正して、前記被測定物の外周面の振れ量を求めることを特徴とする振れ量測定方法。
【請求項２１】
円筒状又は円柱状の被測定物の下側両端部の各端部にそれぞれ接触して前記被測定物を回転自在に支持する一対ずつのベアリングと、
前記被測定物を前記ベアリングで支持した状態で前記被測定物の上面に当接させて前記被測定物を回転させながら外周面の振れ量を測定するダイヤルゲージとを備え、
前記ベアリングの回転角度と前記ベアリング自体の振れ量の関係に基づき、前記ダイヤルゲージの測定結果に対して前記ベアリング自体の振れ量を補正できるようにしたことを特徴とする振れ量測定装置。
【請求項２２】
円筒状又は円柱状の被測定物の下側両端部の各端部にそれぞれ接触して前記被測定物を回転自在に支持する一対ずつの連動回転するベアリングと、
前記被測定物を前記ベアリングで支持した状態で前記被測定物の上面に当接させて前記被測定物を回転させながら外周面の振れ量を測定するダイヤルゲージとを備え、
前記ベアリングの回転角度と前記ベアリング自体の振れ量の関係に基づき、前記ダイヤルゲージの測定結果に対して前記ベアリング自体の振れ量を補正できるようにしたことを特徴とする振れ量測定装置。
【請求項２３】
前記ベアリングの外径は前記被測定物の外径の１／３以下であることを特徴とする請求項２１又は２２に記載の振れ量測定装置。
【請求項２４】
前記ダイヤルゲージは接触式であることを特徴とする請求項２１又は２２に記載の振れ量測定装置。
【請求項２５】
前記ダイヤルゲージとして光学式の距離センサを用いたことを特徴とする請求項２１又は２２に記載の振れ量測定装置。
【請求項２６】
振れ測定時の回転数が１２０ｒｐｍ以下であることを特徴とする請求項２１又は２２に記載の振れ量測定装置。
【請求項２７】
測定分解能が１μｍであることを特徴とする請求項２１又は２２に記載の振れ量測定装置。
【請求項２８】
請求項３から２７のいずれかに記載の電子写真感光体用円筒基体、電子写真感光体及び振れ量測定装置で測定した振れ量が１５μｍ以下であることを特徴とする電子写真感光体用円筒基体。
【請求項２９】
請求項２８記載の電子写真感光体であって、円筒体上に感光層を形成したことを特徴とする電子写真感光体。
【請求項３０】
請求項２９に記載の電子写真感光体を使用し、かつ、書き込み分解能が１２００ｄｐｉ以上であることを特徴とする振れ量測定装置。
【請求項３１】
請求項２９に記載の電子写真感光体を複数本使用したことを特徴とする振れ量測定装置。
【発明の詳細な説明】
【技術分野】
【０００１】
本発明は、円筒部材の外周面の振れ量を正確に測定することが可能になる電子写真感光体用円筒基体、電子写真感光体、振れ量測定装置及び振れ量測定方法に関するものである。
【背景技術】
【０００２】
電子写真は従来から複写機、プリンタ等に広く使用されているが、近年は高解像度化、フルカラー化の進展により、極めて高い寸法精度の電子写真感光体が必要とされている。
【０００３】
すなわち、使用する電子写真感光体に曲がり（電子写真感光体自体が湾曲している形態）や芯ずれ（電子写真感光体の外周面中心と回転中心がずれている状態）が有る、これら曲がりや芯ずれに起因する振れにより、電子写真プロセスにおける、静電潜像形成時および転写時に、本来形成されるべき位置からの画像ずれが生じる。
【０００４】
より詳細に説明すると、レーザビームプリンタなどのようにポリゴンミラーを用いてレーザ走査露光を行なうものでは、静電潜像形成時、感光体ドラム（電子写真感光体）の端部に近いほど斜めにレーザビームが入射するので、電子写真感光体に曲がりや芯ずれがあると、レーザビームの到達位置が電子写真感光体の軸方向にずれる主走査方向ずれが生じる。
【０００５】
また、電子写真感光体に曲がりや芯ずれがあると、電子写真感光体の回転中心から電子写真感光体表面までの距離、すなわち、回転半径の違いにより、回転半径の小さい部位では電子写真感光体表面の露光系に対する移動速度が遅くなって静電潜像が詰まる。また、回転半径の大きい部位では電子写真感光体表面の露光系に対する移動速度が速くなって静電潜像が伸びる副走査方向ずれが生じる。
【０００６】
その結果、出力される電子写真画像に歪みが生じる。特に、タンデム型と呼ばれる、電子写真感光体を複数本平行に並べて使用するカラー電子写真装置の場合には、位置ずれ、色ずれとして現れる。書き込み露光光源として、発光ダイオードを使用した電子写真装置では、書き込み光の焦点距離が近いことから振れ回りによる画像ボケが生じ易く、問題が大きい。
【０００７】
これらの理由から電子写真感光体の寸法精度の高精度化、特に、回転精度に対する高精度化が必要になっている。これら電子写真感光体の寸法精度は、使用する円筒基体の寸法精度による部分が多く、従って、寸法精度の高い基体が求められている。そこで高精度に振れ量を測定する方法は、電子写真感光体ばかりではなく、電子写真感光体用円筒基体の製造時においても必要とされている。
【０００８】
電子写真感光体あるいは電子写真感光体用円筒基体の従来の触れ量測定方法として、特許文献１では円筒状電子写真感光体の両端の開放部に嵌合した凹状回転中心軸部を有するフランジを、フランジの凹状回転中心軸部に対応する凸部を有する２個の固定ピンにより把持するとともに、該フランジの外周部に接触する駆動手段により該円筒状電子写真感光体を回転させながらレーザ光を照射することにより、該円筒状電子写真感光体の外径、振れ、真直度及び真円度を測定している。
【０００９】
また、特許文献２では、フランジを取り付けた電子写真感光体の中央部にＳＵＳ３０４製のシャフトを通して、その両端をＶブロックで支持し、フランジ月電子写真感光体を回転させ、中央部の振れをピックテスタにより測定している。
【００１０】
また、特許文献３では、ドラム本体の各端部の嵌合穴の内周面の２箇所に球体を点接触させ、ドラム本体を４点で支持する。ドラム本体の外周面で球体が点接触する各端部の２箇所を結ぶ２本の母線上に沿った位置に測定点Ｘ、Ｙを持つように２つの距離センサＸ、Ｙを配置する。ドラム本体が静止した状態で２つの距離センサにより２本の母線上におけるドラム本体の外周面の２箇所までの距離を同時に計測する。次に、ドラム本体を１８０度回転させ、同様にしてドラム本体１４の外周面の２箇所までの距離を計測する。計測により得られた計測値に演算処理を施すことで、ドラム本体の偏心量およびその偏心方向を算出する。
【００１１】
特許文献４では、電子写真感光体ドラムを一定の回転速度で回転させながら、電子写真感光体ドラムの外にある特定の位置と電子写真感光体ドラムとの距離を測定する距離測定手段を用いて、特定の位置と電子写真感光体ドラムの側面上の測定点との距離を測定し、前記電子写真感光体ドラムの両端の嵌合穴の中心を結ぶ仮想中心軸に対する電子写真感光体ドラムの外周面の偏心量及び偏心方向を算出することにより、電子写真感光体ドラムの振れを測定している。
【００１２】
特許文献５では、測定対象である円筒基体の下側両端部をそれぞれ一対のベアリングで回転自由に接触させて支持し、基体を回転させた時、期待の上側にダイヤルゲージを当てて振れを測定している。
【特許文献１】特開平０８−００５３４１号公報
【特許文献２】特開２００１−３５６６３７号公報
【特許文献３】特開２００２−４８５３０号公報
【特許文献４】特開２００２−９１２３３号公報
【特許文献５】特開２００３−１６２０７８号公報
【発明の開示】
【発明が解決しようとする課題】
【００１３】
しかし、近年の電子写真装置では、必要とされる寸法精度が高くなった為、従来の測定方法では、精度の高い測定ができなくなっている問題が発生している。上述のいずれの測定方法も近年必要とされる振れ量の少ない電子写真感光体等の円筒部材の触れ量を測定するには不十分であった。この原因として、振れ量測定装置には各種回転系を使用しているが、この回転系自体の振れの影響を除去しきれない問題が有る。
【００１４】
例えば、ベアリングを使用する場合、ベアリング自体の振れは、０．５〜２μｍは有る。また、使用に伴って振れ量は増加する傾向にあり、初期の触れ量が０．８μｍ程度であったとしても、１年使用後は１．５μｍ程度にまで増加することがある。これを避ける為に、使用するベアリングの選別や、調整が必要になる問題が有り、簡易に測定することが困難になっている。
【００１５】
そこで、本発明は、上述した実情を考慮してなされたもので、振れ量測定装置自体に起因する影響を除去し、電子写真感光体用円筒基体や電子写真感光体等の円筒部材の振れ量を正確にしかも短時間で測定できる電子写真感光体用円筒基体、電子写真感光体、振れ量測定装置及び振れ量測定方法を提供することを目的とする。
【課題を解決するための手段】
【００１６】
上記の課題を解決するために、請求項１に記載の発明は、円筒状又は円柱状の被測定物の下側両端部の各端部のそれぞれを一対の回転するベアリングに接触させて回転自在に支持し、被測定物をベアリングで支持した状態で被測定物の上面にダイヤルゲージを当接させて被測定物を回転させながら外周面の振れ量を測定し、ベアリングの回転角度とベアリング自体の振れ量の関係を求め、ダイヤルゲージの測定結果に対してベアリング自体の振れ量を補正して、被測定物の外周面の振れ量を求めることを特徴とする電子写真感光体用円筒基体である。
【００１７】
請求項２に記載の発明は、円筒状又は円柱状の被測定物の下側両端部の各端部のそれぞれを一対の連動して回転するベアリングに接触させて回転自在に支持し、被測定物をベアリングで支持した状態で被測定物の上面にダイヤルゲージを当接させて被測定物を回転させながら外周面の振れ量を測定し、ベアリングの回転角度とベアリング自体の振れ量の関係を求め、ダイヤルゲージの測定結果に対してベアリング自体の振れ量を補正して、被測定物の外周面の振れ量を求めることを特徴とする電子写真感光体用円筒基体である。
【００１８】
請求項３に記載の発明は、円筒状又は円柱状の被測定物の下側両端部の各端部にそれぞれ接触して被測定物を回転自在に支持する一対ずつのベアリングと、被測定物をベアリングで支持した状態で被測定物の上面に当接させて被測定物を回転させながら外周面の振れ量を測定するダイヤルゲージとを備え、ベアリングの回転角度とベアリング自体の振れ量の関係に基づき、ダイヤルゲージの測定結果に対してベアリング自体の振れ量を補正できるようにしたことを特徴とする電子写真感光体用円筒基体である。
【００１９】
請求項４に記載の発明は、円筒状又は円柱状の被測定物の下側両端部の各端部にそれぞれ接触して被測定物を回転自在に支持する一対ずつの連動回転するベアリングと、被測定物をベアリングで支持した状態で被測定物の上面に当接させて被測定物を回転させながら外周面の振れ量を測定するダイヤルゲージとを備え、ベアリングの回転角度とベアリング自体の振れ量の関係に基づき、ダイヤルゲージの測定結果に対してベアリング自体の振れ量を補正できるようにしたことを特徴とする電子写真感光体用円筒基体である。
【００２０】
請求項５に記載の発明は、請求項３又は４に記載の電子写真感光体用円筒基体において、ベアリングの外径は被測定物の外径の１／３以下であることを特徴とする。
【００２１】
請求項６に記載の発明は、請求項３又は４に記載の電子写真感光体用円筒基体において、ダイヤルゲージは接触式であることを特徴とする。
【００２２】
請求項７に記載の発明は、請求項３又は４に記載の電子写真感光体用円筒基体において、ダイヤルゲージとして光学式の距離センサを用いたことを特徴とする。
【００２３】
請求項８に記載の発明は、請求項３又は４に記載の電子写真感光体用円筒基体において、振れ測定時の回転数が１２０ｒｐｍ以下であることを特徴とする。
【００２４】
請求項９に記載の発明は、請求項３又は４に記載の電子写真感光体用円筒基体において、測定分解能が１μｍであることを特徴とする。
【００２５】
請求項１０に記載の発明は、円筒状又は円柱状の被測定物の下側両端部の各端部のそれぞれを一対の回転するベアリングに接触させて回転自在に支持し、被測定物をベアリングで支持した状態で被測定物の上面にダイヤルゲージを当接させて被測定物を回転させながら外周面の振れ量を測定し、ベアリングの回転角度とベアリング自体の振れ量の関係を求め、ダイヤルゲージの測定結果に対してベアリング自体の振れ量を補正して、被測定物の外周面の振れ量を求めることを特徴とする電子写真感光体である。
【００２６】
請求項１１に記載の発明は、円筒状又は円柱状の被測定物の下側両端部の各端部のそれぞれを一対の連動して回転するベアリングに接触させて回転自在に支持し、被測定物をベアリングで支持した状態で被測定物の上面にダイヤルゲージを当接させて被測定物を回転させながら外周面の振れ量を測定し、ベアリングの回転角度とベアリング自体の振れ量の関係を求め、ダイヤルゲージの測定結果に対してベアリング自体の振れ量を補正して、被測定物の外周面の振れ量を求めることを特徴とする電子写真感光体である。
【００２７】
請求項１２に記載の発明は、円筒状又は円柱状の被測定物の下側両端部の各端部にそれぞれ接触して被測定物を回転自在に支持する一対ずつのベアリングと、被測定物をベアリングで支持した状態で被測定物の上面に当接させて被測定物を回転させながら外周面の振れ量を測定するダイヤルゲージとを備え、ベアリングの回転角度とベアリング自体の振れ量の関係に基づき、ダイヤルゲージの測定結果に対してベアリング自体の振れ量を補正できるようにしたことを特徴とする電子写真感光体である。
【００２８】
請求項１３に記載の発明は、円筒状又は円柱状の被測定物の下側両端部の各端部にそれぞれ接触して被測定物を回転自在に支持する一対ずつの連動回転するベアリングと、被測定物をベアリングで支持した状態で被測定物の上面に当接させて被測定物を回転させながら外周面の振れ量を測定するダイヤルゲージとを備え、ベアリングの回転角度とベアリング自体の振れ量の関係に基づき、ダイヤルゲージの測定結果に対してベアリング自体の振れ量を補正できるようにしたことを特徴とする電子写真感光体である。
【００２９】
請求項１４に記載の発明は、請求項１２又は１３に記載の電子写真感光体において、ベアリングの外径は被測定物の外径の１／３以下であることを特徴とする。
【００３０】
請求項１５に記載の発明は、請求項１２又は１３に記載の電子写真感光体用円筒基体において、ダイヤルゲージは接触式であることを特徴とする。
【００３１】
請求項１６に記載の発明は、請求項１２又は１３に記載の電子写真感光体用円筒基体において、ダイヤルゲージとして光学式の距離センサを用いたことを特徴とする。
【００３２】
請求項１７に記載の発明は、請求項１２又は１３に記載の電子写真感光体用円筒基体において、振れ測定時の回転数が１２０ｒｐｍ以下であることを特徴とする。
【００３３】
請求項１８に記載の発明は、請求項１２又は１３に記載の電子写真感光体用円筒基体において、測定分解能が１μｍであることを特徴とする。
【００３４】
請求項１９に記載の発明は、円筒状又は円柱状の被測定物の下側両端部の各端部のそれぞれを一対の回転するベアリングに接触させて回転自在に支持し、被測定物をベアリングで支持した状態で被測定物の上面にダイヤルゲージを当接させて被測定物を回転させながら外周面の振れ量を測定し、ベアリングの回転角度とベアリング自体の振れ量の関係を求め、ダイヤルゲージの測定結果に対してベアリング自体の振れ量を補正して、被測定物の外周面の振れ量を求めることを特徴とする振れ量測定方法である。
【００３５】
請求項２０に記載の発明は、円筒状又は円柱状の被測定物の下側両端部の各端部のそれぞれを一対の連動して回転するベアリングに接触させて回転自在に支持し、被測定物をベアリングで支持した状態で被測定物の上面にダイヤルゲージを当接させて被測定物を回転させながら外周面の振れ量を測定し、ベアリングの回転角度とベアリング自体の振れ量の関係を求め、ダイヤルゲージの測定結果に対してベアリング自体の振れ量を補正して、被測定物の外周面の振れ量を求めることを特徴とする振れ量測定方法である。
【００３６】
請求項２１に記載の発明は、円筒状又は円柱状の被測定物の下側両端部の各端部にそれぞれ接触して被測定物を回転自在に支持する一対ずつのベアリングと、被測定物をベアリングで支持した状態で被測定物の上面に当接させて被測定物を回転させながら外周面の振れ量を測定するダイヤルゲージとを備え、ベアリングの回転角度とベアリング自体の振れ量の関係に基づき、ダイヤルゲージの測定結果に対してベアリング自体の振れ量を補正できるようにしたことを特徴とする振れ量測定装置である。
【００３７】
請求項２２に記載の発明は、円筒状又は円柱状の被測定物の下側両端部の各端部にそれぞれ接触して被測定物を回転自在に支持する一対ずつの連動回転するベアリングと、被測定物をベアリングで支持した状態で被測定物の上面に当接させて被測定物を回転させながら外周面の振れ量を測定するダイヤルゲージとを備え、ベアリングの回転角度とベアリング自体の振れ量の関係に基づき、ダイヤルゲージの測定結果に対してベアリング自体の振れ量を補正できるようにしたことを特徴とする振れ量測定装置である。
【００３８】
請求項２３に記載の発明は、請求項２１又は２２に記載の振れ量測定装置において、ベアリングの外径は被測定物の外径の１／３以下であることを特徴とする。
【００３９】
請求項２４に記載の発明は、請求項２１又は２２に記載の電子写真感光体用円筒基体において、ダイヤルゲージは接触式であることを特徴とする。
【００４０】
請求項２５に記載の発明は、請求項２１又は２２に記載の電子写真感光体用円筒基体において、ダイヤルゲージとして光学式の距離センサを用いたことを特徴とする。
【００４１】
請求項２６に記載の発明は、請求項２１又は２２に記載の電子写真感光体用円筒基体において、振れ測定時の回転数が１２０ｒｐｍ以下であることを特徴とする。
【００４２】
請求項２７に記載の発明は、請求項２１又は２２に記載の電子写真感光体用円筒基体において、測定分解能が１μｍであることを特徴とする。
【００４３】
請求項２８に記載の発明は、請求項３から２７のいずれかに記載の電子写真感光体用円筒基体、電子写真感光体及び振れ量測定装置で測定した振れ量が１５μｍ以下であることを特徴とする電子写真感光体用円筒基体である。
【００４４】
請求項２９に記載の発明は、請求項２８記載の電子写真感光体であって、円筒体上に感光層を形成したことを特徴とする電子写真感光体である。
【００４５】
請求項３０に記載の発明は、請求項２９に記載の電子写真感光体を使用し、かつ、書き込み分解能が１２００ｄｐｉ以上であることを特徴とする振れ量測定装置である。
【００４６】
請求項３１に記載の発明は、請求項２９に記載の電子写真感光体を複数本使用したことを特徴とする振れ量測定装置である。
【発明の効果】
【００４７】
本発明の電子写真感光体用円筒基体、電子写真感光体、振れ量測定装置及び振れ量測定方法によれば、振れ量測定装置に使用されている回転体の振れを把握して振れ量測定装置自体に起因する影響を除去し、電子写真感光体用円筒基体、電子写真感光体等の円筒部材の外周面の振れ量を正確にしかも短時間で測定することが可能になる。
【００４８】
また、本発明の電子写真感光体用円筒基体、電子写真感光体、振れ量測定装置及び振れ量測定方法により測定した結果、振れ量が１５μｍ以下であった電子写真感光体用円筒基体の表面に感光層を形成して電子写真感光体を構成した場合、外周面の精度が高いため、この電子写真感光体を用いて電子写真方式によって形成した画像は画像ずれ等のない高品質なものとなる。特に、当該電子写真感光体を使用すると共に書き込み分解能を１２００ｄｐｉ以上の高分解能とした場合の電子写真装置では、より高品質な画像出力を得ることができ、例えば、この電子写真感光体をカラー画像形成用に複数本使用した場合には高品質のカラー画像出力を得ることができる。
【発明を実施するための最良の形態】
【００４９】
以下、図面を参照して、本発明の実施の形態として電子写真感光体用円筒基体の振れ量測定装置及び振れ量測定方法を詳細に説明する。なお、ここの説明では、各項目について以下の順序で説明する。
【００５０】
（ａ）実施例１において用いる電子写真感光体用円筒基体の振れ量測定装置
（ｂ）実施例２において用いる電子写真感光体用円筒基体の振れ量測定装置
（ｃ）各装置に用いるベアリング
（ｄ）各装置に用いるダイヤルゲージ
（ｅ）電子写真感光体用円筒基体の基礎部材（基体）
（ｆ）電子写真感光体用円筒基体上に施す感光層
（ｇ）電子写真感光体用円筒基体として用いる測定試料の作成方法
（ｈ）実施例１
（ｉ）実施例２
（ｊ）比較例
（ｋ）実施例と比較例の評価
【００５１】
（ａ）
図１は実施例１において用いる電子写真感光体用円筒基体の振れ量測定装置の斜視図である。この装置に被測定物である電子写真感光体用円筒基体が載置されてその外周面の振れ量測定が行われるが、この図では電子写真感光体用円筒基体は描かれていない。１ａ、１ｂ、１ｃ、１ｄはベアリングであり、このベアリングは中心でホルダー２ａ、２ｂ、２ｃ、２ｄに固定されており、ホルダー２ａ、２ｂ、２ｃ、２ｄは更に台３に固定されている。ベアリング１ａ、１ｂ、１ｃ、１ｄにはエンコーダが組み込まれており、ベアリング１ａ、１ｂ、１ｃ、１ｄの回転角度が信号で出力できるようになっており、４はその出力ケーブルである。
【００５２】
測定の手順を簡単に説明すると、まず、図１のように被測定物を載せない状態で、ベアリング１ａ、１ｂ、１ｃ、１ｄを回転させ、それぞれの回転角度と各ベアリングが被測定物の下面に当接する位置の対応を調べておく。次に、図２，図３及び図４のように電子写真感光体用円筒基体５を載せ、電子写真感光体用円筒基体５の上面にダイヤルゲージ６を当て、ベアリング１ａ、１ｂ、１ｃ、１ｄを回転させて、ダイヤルゲージで測定を行なう。
【００５３】
このとき、ベアリングの角度とダイヤルゲージとの対応を記録しておき、この値と、先に測定したベアリングの角度とダイヤルゲージとの対応から電子写真感光体用円筒基体５の外周面の振れ量を算出する。これについては後述する。なお、本装置の測定分解能は１μｍである。
【００５４】
（ｂ）
図５は、実施例２において用いる電子写真感光体用円筒基体の振れ量測定装置の斜視図である。１ａ、１ｂ、１ｃ、１ｄはベアリングであり、このベアリングは中心でホルダー２ａ、２ｂ、２ｃ、２ｄに固定されており、ホルダー２ａ、２ｂ、２ｃ、２ｄは更に台７に固定されている。ここで、台７の内部には、ベアリング１ａ、１ｂ、１ｃ、１ｄが連動して回転する伝達機構が内蔵されている。図５において、ベアリング１ａ、１ｂ、１ｃ、１ｄは連動して回転し、その回転角度はエンコーダで測定され信号で出力できるようになっている。４はその出力ケーブルである。
【００５５】
測定の手順を簡単に説明すると、まず、図５のように被測定物を載せない状態で、ベアリング１ａ、１ｂ、１ｃ、１ｄを回転させ、回転角度と各ベアリングが被測定物の下面に当接する位置の対応を調べておく。次に、図６のように電子写真感光体用円筒基体５を載せ、電子写真感光体用円筒基体５の上面にダイヤルゲージ６を当て、ベアリング１ａ、１ｂ、１ｃ、１ｄを回転させて、ダイヤルゲージで測定を行なう。
【００５６】
このとき、ベアリングの角度とダイヤルゲージとの対応を記録しておき、この値と、先に測定したベアリングの角度とダイヤルゲージとの対応から電子写真感光体用円筒基体５の外周面の振れ量を算出する。これについては後述する。なお、本装置の測定分解能は１μｍである。
【００５７】
（ｃ）
本発明を実施するための最良の形態におけるベアリングとしては、いわゆるころがり軸受が使用可能であり、寸法精度はＪＩＳ  Ｂ  １５０１４（ころがり軸受の精度）に規定されている、２級が適している。ここで、軸受の精度等級は、普通精度のＪＩＳ  ０級から、精度が高くなるに従い、ＪＩＳ  ６級、ＪＩＳ  ５級、ＪＩＳ  ４級、ＪＩＳ  ２級が規定されている。因みに、ベアリングの外径は高精度な測定ができるように電子写真感光体用円筒基体５の外径の１／３以下のものを用いている。
【００５８】
ベアリングは中心を固定し、外周を被測定物に当接させる。ここで、ベアリングの外周をそのまま被測定物に当接させても良く、あるいは、環状体の内部にベアリングを勘合させ、該環状体の外周面を被測定物に当接させても良い。
【００５９】
（ｄ）
また、本発明を実施するための最良の形態において、ダイヤルゲージとは、物体位置変位を測定表示する測定器であり、ＪＩＳ  Ｂ  ７５０３で規定されている。測定結果の表示は、針を使用したアナログ式の表示以外でも良く、デジタル表示や、外部に信号出力を行なう方式でも良い。尚、使用するダイヤルゲージはＪＩＳ  Ｂ  ７５０３：１９９７の目量０．００１ｍｍの物が良い。また、ダイヤルゲージは測定子がスピンドルの軸方向に動く標準形でも良く、あるいは測定子が支点を中心にして動くてこ式（縦形）でも良い。ダイヤルゲージとしては、接触式以外でも良く、例えばレーザ干渉計を利用した高精度の距離センサも用いることが可能である。
【００６０】
（ｅ）
本発明を実施するための最良の形態において、基体はアルミニウム合金であれば良く、例えば、ＪＩＳ１０００番系アルミニウム合金、ＪＩＳ３０００番系アルミニウム合金、ＪＩＳ６０００番系アルミニウム合金か使用可能であるが、これらに限定されるものではない。なお、ここの説明において「アルミニウム」という時はアルミニウム合金と分けて表現しない限り、通常、アルミニウム合金も含めた総称を表す。
【００６１】
これらのアルミニウム製導電性支持体の製造法は特に限定されないが、アルミニウムビレットをポートホール法、マンドレル法等により押し出し管に加工し、続いて引き抜き加工、インパクト加工、しごき加工、あるいは切削加工、センタレス研削加工によって所定の肉厚、外径寸法の円筒とする。アルミニウム製導電性支持体の外径は２０ｍｍ以上、１８０ｍｍ以下、肉厚は０．７０ｍｍ以上、２ｍｍ以下が一般的である。
【００６２】
（ｆ）
電子写真感光体用円筒基体の表面に感光層を形成することで電子写真感光体が得られる。この電子写真感光体は本発明を実施するための最良の形態における被測定物として測定対象になり得るものである。感光層は、感光体材料を含む塗布液を用いて形成される。かかる塗布液としては、種々の感光体材料と１種以上の溶媒とからなる、従来公知の各種のものを使用することができる。感光体材料のうち、電荷発生物質としては、例えば、スーダンレッド、ダイアンブルー、ジェナスグリーンＢ等のアゾ顔料、ジスアゾ顔料、アルゴールイエロー、ピレンキノン等のキノン顔料、キノシアニン顔料、ペリレン顔料、インジゴ顔料、インドファーストオレンジトナー等のビスベンゾイミダゾール顔料、銅フタロシアニン等のフタロシアニン顔料、キナクリドン顔料、ピリリウム塩、アズレニウム塩が挙げられる。
【００６３】
電荷輸送物質としては、主鎖または側鎖に、アントラセン、ピレン、フェナントレン、コロネン等の多環芳香族化合物の骨格またはインドール、カルバゾール、オキサゾール、イソオキサゾール、チアゾール、イミダゾール、ピラゾール、オキサジアゾール、ピラゾリン、チアジアゾール、トリアゾール等の含窒素環式化合物の骨格を有する化合物が挙げられる。その他、ヒドラゾン化合物など正孔輸送物質が挙げられる。
【００６４】
結着剤樹脂としては、ビスフェノールＡ型ポリカーボネート、ビスフェノールＺ型ポリカーボネート、ポリアクリレート、ポリスチレン、ポリメタクリレート、スチレン−メタクリル酸メチルコポリマー、ポリエステル、スチレン−アクリロニトリルコポリマー、ポリサルホン、ポリ酢酸ビニル、ポリアクリロニトリル、ポリビニルブチラール、ポリビニルピロリドン、メチルセルロース、ヒドロキシメチルセルロース、セルロースエステル等が挙げられる。
【００６５】
溶媒としては、電子写真感光体の製造に通常使用される溶剤が使用される。かかる溶剤としては、例えば、ｎ−ブチルアミン、ジエチルアミン、エチレンジアミン、イソプロパノールアミン、トリエタノールアミン、Ｎ，Ｎ−ジメチルホルムアミド、アセトン、メチルエチルケトン、シクロヘキサノン、ベンゼン、４−メトキシ−４−メチルペンタノン−２、ジメトキシメタン、ジメトキシエタン、２，４−ペンタジオン、アニソール、３−オキソブタン酸メチル、モノクロルベンゼン、トルエン、キシレン、クロロホルム、１，２−ジクロロエタン、ジクロロメタン、テトラヒドロフラン、ジオキサン、メタノール、エタノール、イソプロパノール、酢酸エチル、酢酸ブチル、ジメチルスルホキシド、メチルセロソルブ、エチルセロソルブ、メチルセロソルブアセテート等が挙げられる。
【００６６】
感光層を形成するための塗布液は、例えば、次のようにして調製される。すなわち、単層型の場合は、前記の電荷発生物質、電荷輸送物質、結着剤樹脂および溶媒を混合した、単一の塗布液として調製される。一方、積層型の場合は、前記の電荷発生物質、結着剤樹脂および溶媒を混合した、電荷発生層用の塗布液と、前記の電荷輸送物質、結着剤樹脂および溶媒を混合した、電荷輸送層用の塗布液とを、別々に調製する。
【００６７】
また、最表面に保護層を設けることも可能であり、保護層は結着剤樹脂と無機フィラーを分散した塗工液を作成することによって形成する。
【００６８】
ここで使用可能な結着剤樹脂としては、ビスフェノールＡ型ポリカーボネート、ビスフェノールＺ型ポリカーボネート、ポリアクリレート、ポリスチレン、ポリメタクリレート、スチレン−メタクリル酸メチルコポリマー、ポリエステル、スチレン−アクリロニトリルコポリマー、ポリサルホン、ポリ酢酸ビニル、ポリアクリロニトリル、ポリビニルブチラール、ポリビニルピロリドン、メチルセルロース、ヒドロキシメチルセルロース、セルロースエステル等が挙げられる。また、最表面の保護層に電荷輸送材料を含有させても良い。
【００６９】
塗布液中の各成分の濃度は、公知の方法に従って適宜選択される。固形分の濃度は、主として、形成すべき層の膜厚に応じて決定されるが、単層型電子写真感光体を製造する際の塗布液の場合、および積層型電子写真感光体を製造する際の電荷輸送層用の塗布液の場合には、４０重量％以下、好ましくは１０〜３５重量％に調節される。また、これらの塗布液の場合、その粘度は、１５０〜４００ｃｐ、乾燥膜厚は、１０〜３５μｍとするのがよい。
【００７０】
前記の各層を形成するための塗布操作は、従来公知の塗布方法に従う。例えば、浸漬塗工法、スプレー塗工法等を採用して行うことができる。
【００７１】
（ｇ）
ここで、実施例及び比較例を説明する前に、実施例及び比較例で使用した測定試料の作成方法について説明する。押し出し加工で作成した外径約３１．５ｍｍｎ、内径約２８ｍｍ、長さ３５０ｍのＡ３００３アルミニウム合金製管を、昌運工作所製旋盤に取り付け、先端Ｒ１ｍｍの焼結ダイヤモンドバイトで粗切削を行った。
【００７２】
次に、バイトを先端Ｒ３ｍｍとした焼結ダイヤモンドバイトに交換して仕上切削を行い、表面粗さRｚが１．２の外径３０．０ｍｍｎ、内径２８ｍｍ、長さ３５０ｍアルミニウム合金製基体を得た。このようにして評価用基体を３本作成した。この３本を以下の実施例及び比較例での測定用試料とするが、測定用試料識別の為に、試料名を順に試料１、試料２、試料３とする。
【００７３】
（ｈ）実施例１
（ｈ−１）測定装置の振れ量測定
図１のベアリング１ａが振れ測定対象に当接する位置にダイヤルゲージの測定子を当てながらベアリングを回転させ、ベアリングの回転角度θとダイヤルゲージ値Ｄとの関係を調べた。ここで、ベアリング１ａの回転角度θが０度の時、ダイヤルゲージ値Ｄを０にセットし、ベアリングを回転させることによる０からの変位を測定する。ベアリング１ｂ、１ｃ、１ｄについても同様に、ベアリングの回転角度とそのときのダイヤルゲージ値を調べた。
【００７４】
（ｈ−２）アルミニウム管の測定
測定を行なう電子写真感光体用管を図２のように、振れ測定装置に載せ、更に、ダイヤルゲージの測定子を測定対象に当接させながらすべてのベアリングがスリップしないように被測定物を１回転させ、各ベアリングの回転角と、ダイヤルゲージ値の関係を調べた。測定時の回転数は１２０ｒｐｍ（回／分）以下である。正確な測定をするためにこの回転速度に制限することが望ましい。
【００７５】
（ｈ−３）振れ量の算出１
以上のようにしてベアリング１ａの回転角度と触れ量の関係、ベアリング１ｂの回転角度と振れ量の関係、ベアリング１ａと１ｂの回転角度と電子写真感光体用円筒基体５を測定した時のダイヤルゲージの値を把握し、これから下式によって被測定物の触れ量Ｚの近似値を求めた。
Ｚ≒Ａ−（Ｂ＋Ｃ）／２
ここで、
Ａ  は電子写真感光体用円筒基体５を測定した時のダイヤルゲージの値
Ｂ  はそのときのベアリング１ａの角度での振れ量
Ｃ  はそのときのベアリング１ｂの角度での振れ量
このようにして３本の被測定物の振れ量を各５回調べたところ、表１の結果を得た。表１では最大の触れ量を示す。
【００７６】
【表１】
2006251233.tif 000003
【００７７】
（ｈ−４）振れ量の算出２
上の触れ量は、ダイヤルゲージの測定子６がベアリング１ａ、１ｂの上であってベアリング１ａ，１ｂに対向する場所に位置する場合であった。しかし、ダイヤルゲージの測定子６をベアリングの上以外の位置に設置した場合は、以下のように被測定物の触れ量を計算する。図４ではダイヤルゲージ６がベアリング１ａと１ｂからはＬの距離、ベアリング１ｃと１ｄからはＲの距離に位置させ、ＬとＲは２：３である。
【００７８】
このときの被測定物の触れ量Ｚの近似値は、
Ｚ≒Ａ−（（Ｂ＋Ｃ）＊Ｌ／（Ｌ＋Ｒ））＋（Ｄ＋Ｅ）＊Ｒ／（Ｌ＋Ｒ））／２
である。
ここで、
Ａ  は電子写真感光体用円筒基体５を測定した時のダイヤルゲージの値
Ｂ  はそのときのベアリング１ａの角度での振れ量
Ｃ  はそのときのベアリング１ｂの角度での振れ量
Ｄ  はそのときのベアリング１ｃの角度での振れ量
Ｅ  はそのときのベアリング１ｄの角度での振れ量
このようにして、被測定物の最大振れ量を測定した結果を表２に示す。
【００７９】
【表２】
2006251233.tif 000004
【００８０】
（ｉ）実施例２
（ｉ−１）測定装置の振れ量測定
図５のベアリング１ａが振れ測定対象に当接する位置にダイヤルゲージの測定子を当てながらベアリングを回転させ、ベアリングの回転角度θとダイヤルゲージ値Ｄ1aとの関係を調べる。ここで、ベアリングの回転角度θが０度の時、ダイヤルゲージ値Ｄ1aを０にセットし、ベアリングを回転させることによる０からの変位を測定する。ベアリング１ｂ、１ｃ、１ｄについても同様に、ベアリングの回転角度とそのときのダイヤルゲージ値を調べた。
【００８１】
（ｉ−２）アルミニウム管の測定
測定を行なう電子写真感光体用管を図２のように、振れ測定装置に載せ、更に、ダイヤルゲージの測定子を測定対象に当接させながらすべてのベアリングがスリップしないように回転させ、各ベアリングの回転角と、ダイヤルゲージ値の関係を調べた。測定時の回転数は１２０ｒｐｍ（回／分）以下である。正確な測定をするためにこの回転速度に制限することが望ましい。
【００８２】
（ｉ−３）振れ量の算出１
次に、求めたベアリング１ａの回転角度と触れ量の関係、ベアリング１ｂの回転角度と振れ量の関係、ベアリング１ａと１ｂの回転角度と電子写真感光体用円筒基体５を測定した時のダイヤルゲージの値から、下式によって被測定物の触れ量Ｚの近似値を求めた。
Ｚ≒Ａ−（Ｂ＋Ｃ）／２
ここで、
Ａ  は電子写真感光体用円筒基体５を測定した時のダイヤルゲージの値
Ｂ  はそのときのベアリング１ａの角度での振れ量
Ｃ  はそのときのベアリング１ｂの角度での振れ量
このようにして３本の被測定物の振れ量を各５回調べたところ、表３の結果を得た。表３では５回測定した最大の触れ量の平均と標準偏差を示す。
【００８３】
【表３】
2006251233.tif 000005
【００８４】
（ｉ−４）振れ量の算出２
上の触れ量は、ダイヤルゲージの測定子６がベアリング１ａ、１ｂの上に位置する場合であった。ダイヤルゲージの測定子６をベアリングの上以外に位置させた場合は、下式によって被測定物の触れ量を計算する。図４に図示したように、ダイヤルゲージ６がベアリング１ａと１ｂからはＬの距離、ベアリング１ｃと１ｄからはＲの距離に位置させ、ＬとＲは２：３である。
【００８５】
このときの被測定物の触れ量Ｚの近似値は
Ｚ≒Ａ−（（Ｂ＋Ｃ）＊Ｌ／（Ｌ＋Ｒ））＋（Ｄ＋Ｅ）＊Ｒ／（Ｌ＋Ｒ））／２
である。
【００８６】
ここで、
Ａ  は電子写真感光体用円筒基体５を測定した時のダイヤルゲージの値
Ｂ  はそのときのベアリング１ａの角度での振れ量
Ｃ  はそのときのベアリング１ｂの角度での振れ量
Ｄ  はそのときのベアリング１ｃの角度での振れ量
Ｅ  はそのときのベアリング１ｄの角度での振れ量
このようにして、被測定物の最大振れ量を測定した結果を表４に示す。表４では、５回測定した最大の触れ量の平均と標準偏差を示す。
【００８７】
【表４】
2006251233.tif 000006
【００８８】
（ｊ）比較例
図２に示すように触れ測定装置に試料１、試料２、試料３のアルミニウム合金製円筒体を取り付け、ダイヤルゲージの測定子６を当てながらベアリングを回転させた。このときのダイヤルゲージ値Ｄを振れ量とした。このようにして、被測定物の最大振れ量を測定した結果を表５に示す。
【００８９】
【表５】
2006251233.tif 000007
【００９０】
（ｋ）実施例と比較例の評価
以上のようにして試料１、試料２、試料３の触れ量測定を行った結果を表６に示す。
【００９１】
【表６】
2006251233.tif 000008
【００９２】
表６から明らかなように、実施例１、実施例２は測定結果の標準偏差が小さく、高精度な測定が実現できている。したがって、発明を実施するための最良の形態である電子写真感光体用円筒基体の振れ量測定装置及び振れ量測定方法では、振れ量測定装置自体に起因する影響を除去し、電子写真感光体用円筒基体、電子写真感光体の外周面の振れ量を正確にしかも短時間で測定することが可能になる。
【００９３】
実施例において示した電子写真感光体用円筒基体の振れ量測定装置及び振れ量測定方法により測定した結果、振れ量が１５μｍ以下であった電子写真感光体用円筒基体の表面に感光層を形成して電子写真感光体を構成した場合、外周面の精度が高いため、これを用いて電子写真方式によって形成した画像は画像ずれ等のない高品質なものとなる。特に、この電子写真感光体を使用すると共に書き込み分解能を１２００ｄｐｉ以上の高分解能とした場合の電子写真装置では、より高品質な画像出力を得ることができ、例えば、この電子写真感光体をカラー画像形成用に複数本使用した場合には高品質のカラー画像出力を得ることができる。
【００９４】
なお、ここの説明では、電子写真感光体用円筒基体及び電子写真感光体についての説明を行ったが、被測定物としては円筒状又は円柱状の円筒部材であれば上述したような高精度の測定が可能となるものであり、本装置及び方法で使用する被測定物としては電子写真感光体用円筒基体又は電子写真感光体に限定されることはない。
【図面の簡単な説明】
【００９５】
【図１】実施例１における電子写真感光体用円筒基体の振れ量測定装置の斜視図である。
【図２】実施例１において電子写真感光体用円筒基体５を測定する時の装置全体の斜視図である。
【図３】図２の縦断面図である。
【図４】実施例１においてベアリングから離れた箇所を測定する時の装置全体の斜視図である。
【図５】実施例２における電子写真感光体用円筒基体の振れ量測定装置の斜視図である。
【図６】実施例２において電子写真感光体用円筒基体５を測定する時の装置全体の斜視図である。る。
【符号の説明】
【００９６】
１ａ，１ｂ，１ｃ，１ｄ    ベアリング
２ａ，２ｂ，２ｃ，２ｄ    ホルダー
３，７    台
４    出力ケーブル
５    電子写真感光体用円筒基体
６    ダイヤルゲージ
【図１】
2006251233.tif 000009
【図２】
2006251233.tif 000010
【図３】
2006251233.tif 000011
【図４】
2006251233.tif 000012
【図５】
2006251233.tif 000013
【図６】
2006251233.tif 000014